(57)【要約】【課題】小型化の要請のある電気コネクタにおいて、従来のように挿入空洞内にリブによる受け止め部を設ける場合には、リブは必然的に狭幅となり、逆差し防止が不安定になる。【解決手段】ソケットコネクタ４の逆差し時に、ソケットコネクタ４の弾性アーム２１の端面２３ａを、ベースコネクタ２の挿入空洞７の開口縁部７ａの広幅部７ｃにより受け止めて逆差しを防止する。弾性アーム２１の第１端部２３を導入するための凹部２９を設ける必要のある前壁９とは反対側の後壁１０の開口縁部７ａであれば、比較的自由に外側へその幅を拡げて広幅部７ｃを設けることができ、逆差しを防止するのに必要な十分な面積を確保することができる。【選択図】  図６
2004241314.tif 000002
【特許請求の範囲】
【請求項１】
挿入空洞を区画する第１ハウジングを有する第１コネクタと、上記挿入空洞内に挿入される第２ハウジングを有する第２コネクタとを備え、
第１ハウジングは挿入空洞を挟んで相対向する第１壁および第２壁を有し、
第２ハウジングは挿入空洞に挿入されるときに第１ハウジングの第１壁および第２壁にそれぞれ一部が沿わされる第１壁および第２壁を有し、
第２コネクタは、第２ハウジングの第１壁の外壁面に突出形成された支持部と、第１端部にフック部を有すると共に第２端部に指押さえ部を有し且つ中間部が上記支持部によって支持される弾性アームとを含み、
第１ハウジングの第１壁の外壁面には、第１および第２コネクタの連結時に弾性アームの第１端部を導入するための凹部が形成され、この凹部に上記フック部に引っ掛け係合する係合突起が形成され、
第１ハウジングの挿入空洞の開口縁部には、第１壁の凹部に対応して狭幅部が設けられると共に、狭幅部に対向する第２壁の部分に対応して広幅部が形成され、
第１ハウジングの第２壁の広幅部は、逆差しされようとする第２コネクタの弾性アームの第１端部の端面を受け止めて第２コネクタの逆差しを防止するための受け止め部を構成することを特徴とする電気コネクタ。
【請求項２】
請求項１において、上記挿入空洞の開口縁部の外縁は、第１ハウジングの第２壁に対応して概ね真直とされていることを特徴とする電気コネクタ。
【請求項３】
請求項１又は２において、上記開口縁部の広幅部の幅は狭幅部の幅の２倍以上に設定されることを特徴とする電気コネクタ。
【請求項４】
請求項１，２又は３において、上記第１ハウジングの第１壁の外壁面に、凹部を挟んで一対のリブが突出形成され、リブの厚みは狭幅部の幅の２倍以上に設定されることを特徴とする電気コネクタ。
【発明の詳細な説明】
【０００１】
【発明の属する技術分野】
本発明は、正規の挿入状態でのみ連結可能な雌雄のコネクタを有する電気コネクタに関する。
【０００２】
【従来の技術】
この種の電気コネクタとして、雌コネタタのハウジングの内壁面に案内溝を設けると共に、雄コネクタのハウジングの外壁面に上記案内溝により案内される案内突起を設け、雄コネクタがいわゆる逆差しされようとするときに、案内突起の挿入を阻止することにより逆差しを防止する電気コネクタが提案されている（例えば、特許文献１および特許文献２）。
【０００３】
【特許文献１】
特開平９−１２９３１１号公報
【特許文献２】
特開平１０−２５５９０９号公報
【０００４】
【発明が解決しようとする課題】
特許文献１の電気コネクタでは、雄コネクタが逆差しされようとするときに案内突起を受け止めるための逆差し防止用の受け止め部が、雌コネクタの挿入空洞内に立設したリブの端面により形成されるが、小型化の要請のあるこの種の電気コネクタにおいては、リブは必然的に狭幅となり、逆差し防止が不確実になりがちである。
【０００５】
特許文献２の電気コネクタでは、雄コネクタの側部に設けられて正規挿入では雌コネクタの挿入空洞内に挿入可能なリブを逆差し時に雌コネクタの所定部に当接させて逆差しを防止するが、小型化の要請のあるこの種の電気コネクタにおいては、リブは必然的に狭幅となり、逆差し防止が不確実になりがちである。
本発明は上記課題に鑑みてなされたものであり、逆差しを確実に防止することができる電気コネクタを提供することを目的とする。
【０００６】
【課題を解決するための手段及び発明の効果】
上記目的を達成するため、第１発明は、挿入空洞を区画する第１ハウジングを有する第１コネクタと、上記挿入空洞内に挿入される第２ハウジングを有する第２コネクタとを備え、第１ハウジングは挿入空洞を挟んで相対向する第１壁および第２壁を有し、第２ハウジングは挿入空洞に挿入されるときに第１ハウジングの第１壁および第２壁にそれぞれ一部が沿わされる第１壁および第２壁を有し、第２コネクタは、第２ハウジングの第１壁の外壁面に突出形成された支持部と、第１端部にフック部を有すると共に第２端部に指押さえ部を有し且つ中間部が上記支持部によって支持される弾性アームとを含み、第１ハウジングの第１壁の外壁面には、第１および第２コネクタの連結時に弾性アームの第１端部を導入するための凹部が形成され、この凹部に上記フック部に引っ掛け係合する係合突起が形成され、第１ハウジングの挿入空洞の開口縁部には、第１壁の凹部に対応して狭幅部が設けられると共に、狭幅部に対向する第２壁の部分に対応して広幅部が形成され、第１ハウジングの第２壁の広幅部は、逆差しされようとする第２コネクタの弾性アームの第１端部の端面を受け止めて第２コネクタの逆差しを防止するための受け止め部を構成することを特徴とするものである。
【０００７】
小型化の要請のあるこの種の電気コネクタにおいて、従来のように挿入空洞内にリブによる受け止め部を設ける場合には、リブは必然的に狭幅となり、逆差し防止が不安定になりがちである。これに対して、本発明では、通例、強度確保のため相応の肉厚を持つ弾性アームの端面を、比較的自由に外側へその幅を拡げることのできる第２壁の開口縁部の広幅部により受け止めるので、逆差しを確実に防止することができる。
【０００８】
第２発明は、第１発明において、上記挿入空洞の開口縁部の外縁は、第１ハウジングの第２壁に対応して概ね真直とされていることを特徴とするものである。本発明では、第１壁と第２壁との視覚的な相違を強調できるので、使用者がソケットコネクタの向きを間違えることを未然に防止することができる。
第３発明は、第１又は第２発明において、上記開口縁部の広幅部の幅は狭幅部の幅の２倍以上に設定されることを特徴とするものである。本発明では、狭幅部と広幅部との視覚的な相違を強調できるので、使用者がソケットコネクタの向きを間違えることを未然に防止することができる。
【０００９】
第４発明は、第１，第２又は第３発明において、上記第１ハウジングの第１壁の外壁面に、凹部を挟んで一対のリブが突出形成され、リブの厚みは狭幅部の幅の２倍以上に設定されることを特徴とするものである。本発明では、リブにより狭幅部の存在を視覚的に強調できるので、使用者がソケットコネクタの向きを間違えることを未然に防止することができる。
【００１０】
【発明の実施の形態】
本発明の好ましい態様を添付図面を参照しつつ説明する。
図１は本発明の一実施の形態の電気コネクタの分解斜視図である。図１を参照して、例えば基板１の表面１ａに固定される第１コネクタとしてのベースコネクタ２に対して、並列配置された複数のケーブル３の端部に装着された第２コネクタとしてのソケットコネクタ４が連結される。
【００１１】
第１コネクタとしてのベースコネクタ２は、合成樹脂製の第１ハウジングとしてのベースハウジング５と、このベースハウジング５を貫通する状態で複数が横並びに配置された複数の端子６とを備えている。ベースハウジング５から下方へ突出する端子６の先端は、図２に示すように、基板１を貫通して裏面の導電性部材（図示せず）にはんだ付けにより固定され、これにより、各端子６はベースハウジング５を基板１に固定する機能を果たしている。
【００１２】
図１を参照して、ベースハウジング５は、ソケットコネクタ４の一部を挿抜させる挿入空洞７を有している。挿入空洞７には、上記複数の端子６が例えば２列に整列配置されている。図２を参照して、各端子６はベースハウジング５の底壁８を貫通して下方に突出している。
再び図１を参照して、ベースハウジング５は底壁８上に、第１壁としての前壁９、第２壁としての後壁１０、左側壁１１および右側壁１２によって上記の挿入空洞７を区画している。この挿入空洞７はソケットコネクタ４の抜脱方向Ｂに向けて開放しており、挿入空洞７の開口縁部７ａは略矩形形状をなしている。この挿入空洞７内へ第２コネクタとしてのソケットコネクタ４の半部（図１においては下半部）が挿入される。
【００１３】
図１およびコネクタ嵌合状態を示す図２を参照して、ソケットコネクタ４は、合成樹脂製の第２ハウジングとしてのソケットハウジング１３と、このソケットハウジング１３を縦方向に貫通する横並びの複数の収容孔１４にそれぞれ収容保持され、各ケーブル３の端部を固定したソケット型のコンタクト部材としての端子１５とを備えている。端子１５は、先端からソケット型のコンタクト１６、ケーブル３の芯線３ａを圧着するワイヤーバレル１７、およびケーブル３の被覆部３ｂを固定するインシュレーションバレル１８を備えている。
【００１４】
ソケットハウジング１３の第１壁としての前壁１９の外壁面２０には、矩形板状をなして外壁面２０に略平行に配置された弾性アーム２１が設けられている。この弾性アーム２１の中間部は、外壁面２０に突出形成された一対の支持部２２（図２参照）によって弾性をもって揺動変位可能に支持されている。一対の支持部２２は弾性アーム２１の幅方向の両側部を外壁面２０に連結する。
図２を参照して、弾性アーム２１は、第１および第２端部２３，２４を有し、第１端部２３にロック用のフック部２５を有すると共に、第２端部２４に指押さえ部２６を有し、且つ中間部２７が上記支持部２２によって支持される。
【００１５】
図１を参照して、ベースハウジング５の前壁９の外壁面２８には、上記矩形板状の弾性アーム２１に対応して、凹部２９が形成されている。凹部２９は同じく外壁面２８に突出形成される一対の縦リブ３０間に配置されている。縦リブ３０は挿入空洞７の開口縁部７ａから底壁８側へ向けて延びる。
凹部２９には、ソケットコネクタ４側のフック部２５と引っ掛け係合するための係合部としての左右一対の係合突起３１が形成されている。各係合突起３１はフック部２５の係合を案内する傾斜状の案内部３２を有している。
【００１６】
ソケットハウジング１３をベースハウジング５の挿入空洞７に挿抜するときに、この挿抜を案内するための構造が各ハウジング１３，５に設けられている。すなわち、図１、図４（ａ）および（ｂ）に示すように、ソケットハウジング１３の四隅部にはそれぞれ縦方向（挿入方向Ａないし抜脱方向Ｂ）に延びる案内リブ３３が形成され、前壁９の左右の案内リブ３３は前方へ突出し、後壁１０の左右の案内リブ３３は後方へ突出する。
【００１７】
一方、図１および図３（ａ）に示すように、ベースハウジング５の四隅部にはそれぞれ、ソケットハウジング１３の対応する案内リブ３３を挿入可能な案内溝３４が形成され、各案内溝３４は挿入空洞７に開放している。四隅部において、各案内リブ３３が対応する案内溝３４に嵌合することにより、ソケットハウジング１３を挿入空洞７に対してこじれなく挿抜させることができる。
また、図１および図４（ａ）を参照して、ソケットハウジング１３の前壁１９の外壁面２０には、弾性アーム２１を左右方向に挟んだ両側位置に、縦方向に延びる一対の案内リブ３５が突出形成されている。一方、図１および図３（ａ）に示すように、ベースハウジング１３には、各案内リブ３５をそれぞれ挿入可能な一対の案内溝３６が形成されている。
【００１８】
ソケットハウジング１３の各案内リブ３３，３５はそれぞれ２段リブ形状を呈していて、それぞれ途中部に段付き部３７，３８を設けて太くされている。これらの段付き部３７，３８が、相手方のベースハウジング５の連結側端面である挿入空洞７の開口縁部７ａに当接することにより、連結時の両コネクタハウジング５，１３間の不必要な傾斜を防止するようになっている。
また、ソケットコネクタ４のソケットハウジング１３が正規の向きでなく前後左右が逆向きのときに、この逆向きのソケットハウジング１３をベースハウジング５の挿入空洞７内に挿入できないようにするための逆差し防止の構造が両ハウジング５，１３に設けられている。
【００１９】
具体的には、図１および図３（ａ）を参照して、ベースハウジング５の挿入空洞７の開口縁部７ａには、前壁９の凹部２９に対応して狭幅部７ｂが設けられると共に、狭幅部７へに対向する、後壁１０の部分に対応して広幅部７ｃが形成されている。この広幅部７ｃは、図６に示すように、逆差しされようとするソケットコネクタ４の弾性アーム２１の第１端部２３の端面２３ａを受け止めてソケットコネクタ４の逆差しを防止するための受け止め部を構成する。
【００２０】
また、図３（ａ）に示すように、挿入空洞７の開口縁部７ａの外縁７２（アウトライン）は、ベースハウジング５の後壁１０に対応して真直とされている。これにより、ソケットコネクタ４の弾性アーム２１に対応するベースコネクタ２の前壁９と、反対側の後壁１０との視覚的な相違を強調し、使用者がソケットコネクタ４の向きを間違えることを未然に防止することができる。
また、開口縁部７ａの広幅部７ｃの幅Ｗ２は、狭幅部７ｂの幅Ｗ１の２倍以上（Ｗ２≧Ｗ１）に設定される。これも、狭幅部７ｂと広幅部７ｃとの視覚的な相違を強調することで、使用者がソケットコネクタ４の向きを間違えることを未然に防止するためである。
【００２１】
また、ベースハウジング５の前壁９に凹部２９を挟んで配置される一対の縦リブ３０の厚みＷ３が、狭幅部７ｂの幅Ｗ１の２倍以上（Ｗ３≧Ｗ１）に設定されている。これも、リブ３０との厚み差により、狭幅部７ｃの存在を視覚的に強調することで、使用者がソケットコネクタ４の向きを間違えることを未然に防止するためである。
また、図１および図４（ｂ）を参照して、ソケットハウジング１３の前壁１９の外壁面２０の左右の端部には案内リブ３３に隣接して、縦方向に延びる逆差し防止用の左前部リブ３９および右前部リブ４０が形成されている。また、ソケットハウジング１３の第２壁としての後壁４１の外壁面４２には、縦方向に延びる逆差し防止用の左後部リブ４３および右後部リブ４４が形成されている。
【００２２】
また、図４（ｂ）および逆差し時の分解斜視図である図５を参照して、ソケットハウジング１３の左側壁４５の外壁面４６の前後方向の中央部には、縦方向に延びる逆差し防止用の単一の左側部リブ４７が形成されている。
また、図１および図４（ｂ）を参照して、ソケットハウジング１３の右側壁４８の外壁面４９の前後方向の中央部には、縦方向に延びる逆差し防止用の一対の右側部リブ５０が、互いの間に所定の間隔を設けて形成されている。
【００２３】
左前部リブ３９、左後部リブ４３および左側部リブ４７によって、左群のリブが構成されている。右前部リブ４０、右後部リブ４４および右側部リブ５０によって右群のリブが構成されている。
ベースハウジング５には、図１に示すように、正規の向きにあるソケットハウジング１３が挿入されるときに、ソケットハウジング１３の逆差し防止用の左前部リブ３９、左後部リブ４３、左側部リブ４７、右前部リブ４０、右後部リブ４４および右側部リブ５０は挿入空洞７内に挿入できるようになっている。
【００２４】
また、図５に示すように、前後が逆になると共に左右も逆になる、いわゆる逆差しでソケットハウジング１３が挿入されようとするときには、上記の逆差し防止用の各リブ３９，４３，４７，４０，４４および５０は、挿入空洞７の入口で、後述する対応する受け止め部７０，６８，５６，６４，６１および５３により受け止められて挿入が阻止されるようになっている。
具体的には、図１および図３（ａ）を参照して、ベースハウジング５の左側壁１１の内壁面５１には、正規挿入時のソケットハウジング１３の上記の左側部リブ４７を挿入可能な縦方向に延びる左側部案内溝５２が形成されている。この左前部案内溝５２を前後に挟んだ両側に、逆差し時のソケットハウジング１３の一対の右側部リブ５０をそれぞれ受け止めて逆差しを防止するための一対の左側部受け止め部５３が設けられている。各左側部受け止め部５３は、挿入空洞７の開口縁部７ａから一段落とし込まれた落とし込み段部からなり、左側壁１１側に向かって次第に低くなるように傾斜している。
【００２５】
また、ベースハウジング５の右側壁１２の内壁面５４には、正規挿入時のソケットハウジング１３の一対の右側部リブ５０をそれぞれ挿入可能な縦方向に延びる一対の右側部案内溝５５が形成されている。これら一対の右側部案内溝５５間に、逆差し時のソケットハウジング１３の左側部リブ４７を受け止めて逆差しを防止するための落とし込み段部からなる右側部受け止め部５６が設けられている。この右側部受け止め部５６は、底壁８から立設された縦リブ５７の頂部によって構成され、右側壁１２に向かって次第に低くなるように傾斜している。
【００２６】
また，ベースハウジング５の左側壁１１に近い前壁９の内壁面５８には、正規挿入時のソケットハウジング１３の左前部リブ３９の挿入を許容する凹所５９が設けられ、この凹所５９と案内溝３６との間には、逆差し時のソケットハウジング１３の右後部リブ４４を受け止めて逆差しを防止するための落とし込み段部からなる左前部受け止め部６０が設けられている。この左前部受け止め部６０は、底壁８から前壁９に沿って立設された縦リブ６１の頂部によって構成され、前壁９に向かって次第に低くなるように傾斜している。
【００２７】
ベースハウジング５の左側壁１１に近い後壁１０の内壁面６２には、正規挿入時のソケットハウジング１３の左後部リブ４３の挿入を許容する凹所６３が設けられ、この凹所６３と左後部の案内溝３４との間には、逆差し時のソケットハウジング１３の右前部リブ４０を受け止めて逆差しを防止するための落とし込み段部からなる左後部受け止め部６４が設けられている。この左後部受け止め部６４は、底壁８から後壁１０に沿って立設された縦リブ６５の頂部によって構成され、後壁１０に向かって次第に低くなるように傾斜している。
【００２８】
左側部受け止め部５３、左前部受け止め部６０および左後部受け止め部６４によって、左群の受け止め部が構成されている。
また、ベースハウジング５の右側壁１２に近い前壁９の内壁面５８には、正規挿入時のソケットハウジング１３の右前部リブ４０の挿入を許容する凹所６６が設けられ、この凹所６６と案内溝３６との間には、逆差し時のソケットハウジング１３の左後部リブ４３を受け止めて逆差しを防止するための落とし込み段部からなる左前部受け止め部６７が設けられている。この左前部受け止め部６７は、底壁８から前壁９に沿って立設された縦リブ６８の頂部によって構成され、前壁９に向かって次第に低くなるように傾斜している。
【００２９】
ベースハウジング５の右側壁１２に近い後壁１０の内壁面６２には、正規挿入時のソケットハウジング１３の右後部リブ４０の挿入を許容する凹所６９が設けられ、この凹所６９と右後部の案内溝３４との間には、逆差し時のソケットハウジング１３の左前部リブ３９を受け止めて逆差しを防止するための落とし込み段部からなる右後部受け止め部７０が設けられている。この右後部受け止め部７０は、底壁８から後壁１０に沿って立設された縦リブ７１の頂部によって構成され、後壁１０に向かって次第に低くなるように傾斜している。
【００３０】
右側部受け止め部５７、右前部受け止め部６７および右後部受け止め部７０によって、右群の受け止め部が構成されている。左側部受け止め部５３、左前部受け止め部６０、左後部受け止め部６４、右側部受け止め部５７、右前部受け止め部６７および右後部受け止め部７０は相等しい高さに設定されている。同様に、ソケットハウジング１３の左前部リブ３９、右前部リブ４０、左後部リブ４３、右後部リブ４４、左側部リブ４７および右側部リブ５０も相等しい高さに設定されている。
【００３１】
本実施の形態によれば、下記の作用効果を奏することができる。すなわち、小型化の要請のあるこの種の電気コネクタにおいて、従来のように挿入空洞内にリブによる受け止め部を設ける場合には、リブは必然的に狭幅となり、逆差し防止が不安定になりがちである。
これに対して、本実施の形態では、ソケットコネクタ４の弾性アーム２１の端面２３ａを、ベースハウジング５の挿入空洞７の開口縁部７ａの広幅部７ｃにより受け止めて、ソケットコネクタ４の逆差しを防止する。弾性アーム２１の第１端部２３を導入するための凹部２９を設ける必要のある前壁９とは反対側の後壁１０の開口縁部７ａであれば、比較的自由に外側へその幅を拡げることができ、且つ、通例、弾性アーム２１は、強度確保のため相応の肉厚を持っている。したがって、逆差しを防止するのに必要な十分な面積を確保することができ、結果として、確実に逆差しを防止することができる。
【００３２】
しかも、挿入空洞７の開口縁部７ａの外縁７２は、ベースハウジング５の後壁１０に対応して概ね真直とすることで、ソケットコネクタ４の弾性アーム２１に対応するベースコネクタ２の前壁９と、反対側の後壁１０との視覚的な相違を強調し、使用者がソケットコネクタ４の向きを間違えることを未然に防止することができる。
また、開口縁部７ａの広幅部７ｃの幅Ｗ２を、狭幅部７ｂの幅Ｗ１の２倍以上（Ｗ２≧Ｗ１）に設定して、狭幅部７ｂと広幅部７ｃとの視覚的な相違を強調することで、使用者がソケットコネクタ４の向きを間違えることを未然に防止することができる。
【００３３】
さらに、ソケットコネクタ４のソケットハウジング１３が逆差しされようとするときに、ベースコネクタ２のベースハウジング５の左側壁１１、この左側壁１１に近い前壁９および後壁１０の部分の３箇所の各受け止め部５３、６０および６４によって、ソケットハウジング１３の右端部の対応するリブ５０、４４および４０を受け止めると共に、ベースハウジング５の右側壁１２、この右側壁１２に近い前壁９および後壁１０の部分の３箇所の各受け止め部５６、６７および７０によって、ソケットハウジング１３の左端部の対応するリブ４７、４３および３９を受け止めるので、上記広幅部７ｃによる弾性アーム２１の受け止めと相まって、ソケットハウジング１３が傾くことなく挿入空洞７の入口で安定して支持される。
【００３４】
その結果、逆差しを確実に防止することができる。特に、ベースハウジング５の左端部や右端部で各側壁１１，１２、前壁９および後壁１０によるコの字形をなす部位は強度があって最も変形し難く、この最も変形し難い部位に左群の受け止め部５３、６０、６４や右群の受け止め部５６、６７、７０をそれぞれ３点配置するので、逆差しによる無理嵌めを確実に防止することができる。
また、各受け止め部５３、６０、６４、５６、６７、７０が挿入空洞７の開口縁部７ａから落とし込まれた落とし込み段部からなるので、逆差しされようとするソケットハウジング１３が前後、左右に傾くことの他、前後や左右に平行移動することをも防止でき、逆差しを一層確実に防止することができる。
【００３５】
特に、各受け止め部５３、６０、６４、５６、６７、７０が対応する壁に向かって低くなるように傾斜しており、逆差し時に各受け止め部５３、６０、６４、５６、６７、７０に対応するリブ３９、６８、５６、６４、６１、５３の各端面が合致するように各端面も逆向きに傾斜しているので、開口縁部７ａの拡がりを防止して、逆差しをより確実に防止することができる。
なお、本発明は上記実施の形態に限定されるものではなく、例えば、弾性アーム２１が設けられるソケットハウジング１３の第１壁が後壁４１で、凹部２９が設けられるベースハウジング５の第１壁が後壁１０であっても良い。
【００３６】
また、ソケットハウジング１３に右側部リブ５０を一対設けたが単一とし、これに対応する左側部受け止め部５５も単一としても良い。その他、本発明の範囲で種々の変更を施すことができる。
【図面の簡単な説明】
【図１】本発明の一実施の形態の電気コネクタの正規挿入時のソケットコネクタとベースコネクタの分解斜視図である。
【図２】連結状態の両コネクタの縦断面図である。
【図３】（ａ）および（ｂ）はベースコネクタの平面図および前面図である。
【図４】（ａ）および（ｂ）はソケットコネクタの前面図および底面図である。
【図５】逆差し時のソケットコネクタとベースコネクタの分解斜視図である。
【図６】逆差し時のソケットコネクタとベースコネクタの一部破断概略側面図である。
【符号の説明】
２    ベースコネクタ（第１コネクタ）
４    ソケットコネクタ（第２コネクタ）
５    ベースハウジング（第１ハウジング）
７    挿入空洞
７ａ  開口縁部
７ｂ  狭幅部
７ｃ  広幅部（受け止め部）
Ｗ１  （狭幅部の）幅
Ｗ２  （広幅部の）幅
Ｗ３  （リブの）厚み
８    底壁
９    前壁（第１壁）
１０  後壁（第２壁）
１１  左側壁
１２  右側壁
１３  ソケットハウジング（第２ハウジング）
１９  前壁（第１壁）
２０  外壁面
２１  弾性アーム
２２  支持部
２３  第１端部
２３ａ  端面
２４  第２端部
２５  フック部
２６  指押え部
２７  中間部
２９  凹部
３０  縦リブ（リブ）
３１  係合突起
４１  後壁
４２  外壁面
７２  外縁
【図１】
2004241314.tif 000003
【図２】
2004241314.tif 000004
【図３】
2004241314.tif 000005
【図４】
2004241314.tif 000006
【図５】
2004241314.tif 000007
【図６】
2004241314.tif 000008